(57)【要約】【課題】本発明は、加工気流供給装置からの加工気流を、加工気流供給対象者に吐出する際、供給対象者に無駄なく供給する事が可能となる吐出口を提供することを目的としている。【解決手段】加工気流供給装置５からの加工気流をホース４の中を流した後、供給対象者に対して、略円錐形状をした吐出口６を設けて、その円形状底面７を供給対象者の方へと向けて加工気流を供給することとした構成としている。上記構成により、加工気流は略円錐状の形状をした吐出口６からその円形状底面を通して供給対象者へと供給されるので、途中で外部へ拡散することがなく供給対象者に無駄なく供給されることが可能となっている。【選択図】　図１
2004136195.tif 000002
【特許請求の範囲】
【請求項１】
加工気流供給装置から、加工気流供給対象者に対して加工気流を供給する気流供給口の形状を、略円錐型形状とし、前記略円錐形状における円形底面を供給対象者に向けて気流を供給する構成とした加工気流供給装置。
【請求項２】
気流供給口は、略中央部に気流の吐出口を有し、該吐出口は中央部からの吐出口に加えて、中央の吐出口を囲むように一つ若しくは複数個の吐出口を有している構成とした請求項１に記載の加工気流供給装置。
【請求項３】
中央部の吐出口からの吐出気流と、その周辺の吐出口からの吐出気流はその気流の種類が別のものである構成とした請求項２に記載の加工気流供給装置。
【請求項４】
吐出口の直前には通路が拡大している拡大空間部を設けた構成とした請求項２に記載の加工気流供給装置。
【請求項５】
加工気流の供給源から吐出口までを二重のホースで気流を導く構成とした請求項２に記載の加工気流供給装置。
【請求項６】
二重ホースの外側を伸縮自在の蛇腹ホースとし、内側を滑らかなホースにて構成している請求項５に記載の加工気流供給装置。
【請求項７】
円錐状の吐出口は、吐出口に比べて十分に重たい台と、屈曲自在の支持棒にて支える構成とした請求項１〜６のいずれか１項に記載の加工気流供給装置。
【請求項８】
吐出口の直前に臭いの発生装置を取り外し自在に設けた構成の請求項１〜７のいずれか１項に記載の加工気流供給装置。
【発明の詳細な説明】
【０００１】
【発明の属する技術分野】
本発明は、周辺空気を加工して清浄にした気流や、酸素濃度を周辺空気より高くした気流にして供給する等の、加工気流供給装置に関するものである。
【０００２】
【従来の技術】
従来の、空気を加工モジュールで加工して吐出口から供給する加工気流供給装置としては、図９に示す構成のようなものがある（例えば、特許文献１参照）。
【０００３】
図９において、１は筐体で、内部に気流加工モジュール２を備え、吐出口３から加工気流を吐出する構成としている。
【０００４】
【特許文献１】
特開昭５８−２０５５２３号公報
【０００５】
【発明が解決しようとする課題】
上記従来の加工気流供給装置では、吐出口の形状が単純なストレート形状であるために加工気流を供給される対象者にとっては、吐出気流に鼻などをピッタリと合わせる必要が有り、また、うまく合わせても、気流が拡散してしまい、加工気流が対象者から外れてしまうことが起こる可能性を有していた。
【０００６】
本発明は、上記課題を解決するためのものであり、加工気流を供給対象者に無駄なく供給できるようにする形態とすることを目的としている。
【０００７】
【課題を解決するための手段】
上記課題を解決するために本発明は、加工気流の吐出口の形状を略円錐状とし、その円形状底面部を、加工気流を供給する対象者に向けることで、加工気流を無駄なく供給できることを可能としているものである。
【０００８】
【発明の実施の形態】
本発明の請求項１記載の発明は、加工気流供給装置からの加工気流を加工気流供給対象者の位置へと導いて、その最終端である吐出口の形状を略円錐形状とし、その円形状底面を対象者に向けて使用する形態としている。これにより、加工気流を供給される対象者は上記の略円錐状の吐出口近くまで顔を持って行きさえすれば、加工気流を無駄なく吸引することを可能としている。
【０００９】
本発明の請求項２に記載の発明は、吐出口の中央部に主となる気流の吐出口を設け、中央の吐出口の周辺には、一つ、若しくは複数個の気流吐出口を設けた形態としている。この構成により、中央の主となる加工気流を供給しつつ、周辺からは、同種の気流でも流速の異なった気流を供給することが可能となり、複数種の流速の同種加工気流により、肌での感じ方を異なった感じにする効果を教授できる加工気流供給装置とすることが出来る。
【００１０】
本発明の請求項３に記載の発明は、吐出口の中央部に主となる気流の吐出口を設け、中央の吐出口の周辺には、一つ、若しくは複数個の気流吐出口を設けた形態としている。この構成により、中央部から主となる加工気流を供給しつつ、別の種類の気流をその周辺から供給することが可能となり、複数種の加工気流による効果を教授できる加工気流供給装置とすることが出来る。
【００１１】
本発明の請求項４に記載の発明は、吐出口と気流を供給するホースとの間にホースの気流通路面積より大きな通路面積をしている、拡大空間を設けた構成としている。これにより、吐出口直前部の空間が、加工後の気流を流す過程で気流が受ける影響、例えば圧力変動など、を吸収する空間とすることが出来、吐出気流を安定したものとすることが可能となる。
【００１２】
本発明の請求項５に記載の発明は、気流を加工する本体と、吐出口とを二重のホースでつなぐ構成としている。これにより、中心のホースには主たる加工気流を流し、その周辺に他の気流を流すなどすることで見掛けは一本のホースながら、複数種の気流を供給することを可能とする構成となっている。
【００１３】
本発明の請求項６に記載の発明は、請求項５に記載の二重のホースによる構成にて、外側のホースは屈曲自在の蛇腹ホースとし、内側の中心部のホースが滑らかな材質のホースとしている。これにより、供給を受ける側では、略円錐状の吐出口の向きを自在の変えることが可能となり、長時間に渡る供給を受けるときなど、姿勢を固定しなくて加工気流の供給を受けることが可能となるのである。
【００１４】
本発明の請求項７に記載の発明では、略円錐状の吐出口をこの吐出口の重さに比べて十分に重たい重量の台に、屈曲自在の支持棒を介して取り付けた構成としている。これにより、吐出口の安定化が実現でき、安定した状態で気流の供給を受けることが可能となるのである。
【００１５】
本発明の請求項８に記載の発明では、略円錐状の吐出口の直前に臭いを発生する臭い源を収納する箱体を取り外し自在に取り付けた構成としている。これにより、加工気流の供給を受ける側で好みの臭いを発生する臭い源を箱体の中に入れることで好みの臭いを嗅ぎつつ、加工気流の供給を受けることが出来るのである。
【００１６】
【実施例】
（実施例１）
本発明の請求項１の記載に関わる一実施例を図１に基づいて説明する。図において、ホース４は加工気流供給装置５からの加工気流を導くものであり、前記加工気流が供給対象者に加工気流を吐出する部分となる、略円筒状の吐出口６へとつながっている。そして前記吐出口６は円形状底面７を供給対象者に向けて使用する構成としている。
【００１７】
上記の構成における動作について説明する。加工気流発生装置５により発生された加工気流は、ホース４を通って供給対象者へと導かれ、供給される対象者は、その顔を概ね吐出口６近辺へと持っていけば、その吐出口の略円錐上をした形状の特徴から、加工気流を吸引することが可能となる。そして略円錐状の円形状底面７が顔面に対向するので、加工気流は無駄なく供給対象者に供給されることになる。
【００１８】
（実施例２）
本発明の請求項２の記載に関わる一実施例を図２に基づいて説明する。基本的な形状は、実施例１に記載のものと概ね同様であるので、ここでは、共通の部分は図と図番を共用して、特徴ある形状について以下に述べる。図２において、略円錐状の吐出口６の円錐頂点付近にあたるホース４からの加工気流吐出部形状を、中央部の吐出口８と、前記吐出口８を囲むようにして吐出口９とからなる形状としている。
【００１９】
上記の構成における動作について説明する。動作の説明に於いても形状の説明と同様、実施例１と共通の内容についてはここでは省略し、特徴ある動作についてのみ記載する。すなわち、気流の吐出を吐出口８と吐出口９とに切り替えて、供給対象者が変化のある気流の受け取り方が出来るようになり、長時間の供給にも耐えうるものになるのである。また、吐出を切り替えるだけでなく、夫々流速を違えたりするなどして、変化を持たすことも可能となる。
【００２０】
（実施例３）
本発明の請求項３の記載に関わる一実施例を図３に基づいて説明する。基本的な形状は、実施例２に記載のものと概ね同様であるので、ここでは、共通の部分は図と図番を共用して、特徴ある形状について以下に述べる。図３において、略円錐状の吐出口６の円錐頂点付近にあたるホース４からの加工気流吐出部形状を、実施例２と同じく中央部の吐出口８ａと、前記吐出口８ａを囲むようにして吐出口９ａとからなる形状とし、加工気流供給装置（図示せず）においては複数種の気流、例えば清浄空気と酸素富化空気、を生成することが可能な構成としている。
【００２１】
上記の構成における動作について説明する。動作の説明に於いても形状の説明と同様、実施例１と共通の内容についてはここでは省略し、特徴ある動作についてのみ記載する。すなわち、違った種類の気流が吐出口８ａと吐出口９ａから吐出されることになるので、両方同時に供給されることや、交互や、別々の供給などが可能となり、使用方法が様々に展開されることとなる。
【００２２】
（実施例４）
本発明の請求項４の記載に関わる一実施例を図４に基づいて説明する。図において、略円錐状の吐出口１０と加工気流供給装置（図示せず）からのホース４との間に、拡大空間１１を設けた構成としている。
【００２３】
上記の構成における動作について説明する。加工気流発生装置（図示せず）からの加工気流がホース４の内部を伝わって吐出口１０に至るまでには、流露の複雑さから来る圧力変動などの様々な影響を受けており、加工気流が吐出口１０からの吐出時に供給者に対して前記影響を及ぼそうとした時、拡大空間１１に入ることにより、安定化されソフトな状態で吐出されることとなる。また、騒音などがある場合は消音機の効果を持つことにもなり、音が静かでソフトな当りの気流を供給することが可能となるのである。
【００２４】
（実施例５）
次に、本発明の請求項５の記載に関わる一実施例を図５に基づいて説明する。図において、吐出口１２に至るホースは、外側のホース１３と内側のホース１４とからなる二重構造としている。
【００２５】
上記の構成における動作について説明する。吐出口１２では実施例２および３で述べた様に複数種の気流が吐出することで様々な効果が得られるのであるが、加工気流供給装置から吐出口に至るまでの経路が上記の構成により単純化され、見かけ上は外側ホース１３一本になり、一種類の気流が流れているのと変わらなくなり、取り扱いが格段に向上するのである。
【００２６】
（実施例６）
また、本発明の請求項６の記載に関わる一実施例を図６に基づいて説明する。本実施例の構成は、実施例５とほぼ同様であるので同じ構成のものは図番を共用して特徴のある構成についてのみ説明する。すなわち図において、外側のホース１５は屈曲、伸縮自在の蛇腹ホースとし、内側のホース１６は滑らかな表面をした構成としている。
【００２７】
上記の構成における動作について説明する。動作に関しても実施例５と同様であるので、ここでは、特徴のある動作についてのみ記載する。すなわち、吐出口１２を移動しようとしたとき、ホース１４は蛇腹状であることから動かし易く、また、内側ホース１６が滑らかな形状をしていることから吐出口の移動に際して、内部ホース１６が動いても外側ホース１５は柔軟な対応を自動的に行うこととなり、吐出口の移動が容易になり、取り扱いが格段に良いものとなる。尚、本実施例及び請求項６では、内部ホース１６を滑らか形状に限定しているが、外側ホース１５と同様の蛇腹形状にしても同様な効果が得られるのは当然であり、要は外側ホース１５の柔軟性が大きく寄与しているのである。
【００２８】
（実施例７）
次に本発明の請求項７の記載に関わる一実施例を図７に基づいて説明する。吐出口１７はその下部に屈曲自在の支持棒１８を有し、前記支持棒１８は、吐出口１７の重量に比べて充分に重たい支持台１９へと繋がった構成としている。
【００２９】
上記の構成における動作について説明する。加工気流の供給を受ける対象者が顔を動かそうとした時など、吐出口をその方向へと移動させることとなるが、このとき、上下の移動に対しては屈曲自在の支持棒１８が柔軟に対応し、全体を前後左右に動かす時には、重量のある支持台１９が転倒を防止したりするので、吐出口の移動に際しては加工気流の供給を受ける側への吐出口の位置修正に関する負担は大きく軽減されるものとなる。
【００３０】
（実施例８）
次に、本発明の請求項８の記載に関わる一実施例を図８に基づいて説明する。図に於いて加工気流供給装置２０の内部には、空気清浄様のフィルタ２１と脱臭用のフィルタ２２を設けており、外部空気２３は上記供給装置２０内に入って各フィルタ２１，２２を通過した後、切り替え弁２３により、そのまま吐出口２４へと至る経路と、別の加工装置（例えば酸素濃度を高くする酸素富化膜など）２５を通過する経路とに分離される。その一つの経路の通路上に臭いの発生源を入れておく臭い箱２６を、臭い源の交換が可能な状態で設けた構成としている。吐出口２４は支持棒２７と支持台２８とに支えられ、吐出口２９からと、吐出口３０から気流が吐出する構成となっている。３１は外気であり、３２はフィルタ通過気流であり、３３は排気である。
【００３１】
上記の構成による動作について説明する。外気はフィルタ２１，２２により細塵や臭いを取り去られ清浄な空気となって流れる。その後、切り替え弁２３により、経路を分けられ、そのまま吐出口２４の吐出口３０から清浄気流として吐出されて供給の対象者へと流れ、また、切り替え弁２３により、別の加工装置２５へと流れて、例えば高濃度酸素気流となって吐出口２９経由で供給対象者へと流れ、また、その途中にある臭い箱２６の臭い源により芳香を得て同じく吐出口２９に至って対象者へと流れたりする。この時、臭い箱２６の中身である臭い源は、中身の交換が可能となっているので、加工気流の供給対象者がその好みに応じて様々な臭い源を採用することが可能である。これにより、供給の対象者は自分の好みに応じた臭いで加工気流の供給を受けるので心地よい状態で操作することが出来るのである。
【００３２】
【発明の効果】
上記実施例から明らかなように、本発明によれば、加工気流を無駄なく供給対象者へと供給することが可能となる。
【図面の簡単な説明】
【図１】実施例１に記載の加工気流供給装置の吐出口斜視図
【図２】実施例２に記載の加工気流供給装置の吐出口斜視図
【図３】実施例３に記載の加工気流供給装置の吐出口斜視図
【図４】実施例４に記載の加工気流供給装置の吐出口断面図
【図５】実施例５に記載のホース断面図
【図６】実施例６に記載のホース断面図
【図７】実施例７に記載の吐出口と、支持棒、支持台の概観図
【図８】実施例８に記載の加工気流供給装置の構成図
【図９】従来の酸素発生装置の断面図
【符号の説明】
４　ホース
６　略円錐状吐出口
７　円形状底面
【図１】
2004136195.tif 000003
【図２】
2004136195.tif 000004
【図３】
2004136195.tif 000005
【図４】
2004136195.tif 000006
【図５】
2004136195.tif 000007
【図６】
2004136195.tif 000008
【図７】
2004136195.tif 000009
【図８】
2004136195.tif 000010
【図９】
2004136195.tif 000011
【手続補正書】
【提出日】平成15年9月26日(2003.9.26)
【手続補正１】
【補正対象書類名】明細書
【補正対象項目名】全文
【補正方法】変更
【補正の内容】
【特許請求の範囲】
【請求項１】加工気流供給装置から、加工気流供給対象者に対して加工気流を供給する気流供給口の形状を、略円錐型形状とし、前記略円錐形状における円形底面を供給対象者に向けて気流を供給する構成とすると共に、前記気流供給口は、略中央部に気流の吐出口を有し、該吐出口は中央部からの吐出口に加えて、中央の吐出口を囲むように一つ若しくは複数個の吐出口を有している構成とし、中央部の吐出口からの吐出気流と、その周辺の吐出口からの吐出気流はその気流の種類が別のものである構成とした加工気流供給装置。
【請求項２】加工気流の供給源から吐出口までを二重のホースで気流を導く構成とした請求項１に記載の加工気流供給装置。
【請求項３】二重ホースの外側を伸縮自在の蛇腹ホースとし、内側を滑らかなホースにて構成している請求項２に記載の加工気流供給装置。
【請求項４】円錐状の吐出口は、吐出口に比べて十分に重たい台と、屈曲自在の支持棒にて支える構成とした請求項１〜３のいずれか１項に記載の加工気流供給装置。
【請求項５】吐出口の直前に臭いの発生装置を取り外し自在に設けた構成の請求項１〜４のいずれか１項に記載の加工気流供給装置。
【発明の詳細な説明】
【０００１】
【発明の属する技術分野】
本発明は、周辺空気を加工して清浄にした気流や、酸素濃度を周辺空気より高くした気流にして供給する等の、加工気流供給装置に関するものである。
【０００２】
【従来の技術】
従来の、空気を加工モジュールで加工して吐出口から供給する加工気流供給装置としては、図９に示す構成のようなものがある（例えば、特許文献１参照）。
【０００３】
図９において、１は筐体で、内部に気流加工モジュール２を備え、吐出口３から加工気流を吐出する構成としている。
【０００４】
【特許文献１】
特開昭５８−２０５５２３号公報
【０００５】
【発明が解決しようとする課題】
上記従来の加工気流供給装置では、吐出口の形状が単純なストレート形状であるために加工気流を供給される対象者にとっては、吐出気流に鼻などをピッタリと合わせる必要が有り、また、うまく合わせても、気流が拡散してしまい、加工気流が対象者から外れてしまうことが起こる可能性を有していた。
【０００６】
本発明は、上記課題を解決するためのものであり、加工気流を供給対象者に無駄なく供給できるようにする形態とすることを目的としている。
【０００７】
【課題を解決するための手段】
上記課題を解決するために本発明は、加工気流を供給する気流供給口の形状を、略円錐型形状とし、前記略円錐形状における円形底面を供給対象者に向けて気流を供給する構成とすると共に、前記気流供給口は、略中央部に気流の吐出口を有し、該吐出口は中央部からの吐出口に加えて、中央の吐出口を囲むように一つ若しくは複数個の吐出口を有している構成とし、中央部の吐出口からの吐出気流と、その周辺の吐出口からの吐出気流はその気流の種類が別のものである構成としたものであり、略円錐状の底面部を供給対象者に向けることで、加工気流を無駄なく供給できることを可能としているものである。
【０００８】
【発明の実施の形態】
本発明の請求項１記載の発明は、加工気流供給装置から、加工気流供給対象者に対して加工気流を供給する気流供給口の形状を、略円錐型形状とし、前記略円錐形状における円形底面を供給対象者に向けて気流を供給する構成とすると共に、前記気流供給口は、略中央部に気流の吐出口を有し、該吐出口は中央部からの吐出口に加えて、中央の吐出口を囲むように一つ若しくは複数個の吐出口を有している構成とし、中央部の吐出口からの吐出気流と、その周辺の吐出口からの吐出気流はその気流の種類が別のものである構成としている。これにより、加工気流を供給される対象者は上記の略円錐状の吐出口近くまで顔を持って行きさえすれば、加工気流を無駄なく吸引することを可能としている。また、中央部の吐出口から主となる加工気流を供給しつつ、別の種類の気流をその周辺の吐出口から供給することが可能となり、複数種の加工気流による効果を教授できる加工気流供給装置とすることが出来る。
【０００９】
本発明の請求項２に記載の発明は、気流を加工する本体と、吐出口とを二重のホースでつなぐ構成としている。これにより、中心のホースには主たる加工気流を流し、その周辺に他の気流を流すなどすることで見掛けは一本のホースながら、複数種の気流を供給することを可能とする構成となっている。
【００１０】
本発明の請求項３に記載の発明は、請求項２に記載の二重のホースによる構成にて、外側のホースは屈曲自在の蛇腹ホースとし、内側の中心部のホースが滑らかな材質のホースとしている。これにより、供給を受ける側では、略円錐状の吐出口の向きを自在の変えることが可能となり、長時間に渡る供給を受けるときなど、姿勢を固定しなくて加工気流の供給を受けることが可能となるのである。
【００１１】
本発明の請求項４に記載の発明では、略円錐状の吐出口をこの吐出口の重さに比べて十分に重たい重量の台に、屈曲自在の支持棒を介して取り付けた構成としている。これにより、吐出口の安定化が実現でき、安定した状態で気流の供給を受けることが可能となるのである。
【００１２】
本発明の請求項５に記載の発明では、略円錐状の吐出口の直前に臭いを発生する臭い源を収納する箱体を取り外し自在に取り付けた構成としている。これにより、加工気流の供給を受ける側で好みの臭いを発生する臭い源を箱体の中に入れることで好みの臭いを嗅ぎつつ、加工気流の供給を受けることが出来るのである。
【００１３】
【実施例】
（参考例１）
本発明の第１の参考例を図１に基づいて説明する。図において、ホース４は加工気流供給装置５からの加工気流を導くものであり、前記加工気流が供給対象者に加工気流を吐出する部分となる、略円筒状の吐出口６へとつながっている。そして前記吐出口６は円形状底面７を供給対象者に向けて使用する構成としている。
【００１４】
上記の構成における動作について説明する。加工気流発生装置５により発生された加工気流は、ホース４を通って供給対象者へと導かれ、供給される対象者は、その顔を概ね吐出口６近辺へと持っていけば、その吐出口の略円錐上をした形状の特徴から、加工気流を吸引することが可能となる。そして略円錐状の円形状底面７が顔面に対向するので、加工気流は無駄なく供給対象者に供給されることになる。
【００１５】
（参考例２）
本発明の第２の参考例を図２に基づいて説明する。基本的な形状は、参考例１に記載のものと概ね同様であるので、ここでは、共通の部分は図と図番を共用して、特徴ある形状について以下に述べる。図２において、略円錐状の吐出口６の円錐頂点付近にあたるホース４からの加工気流吐出部形状を、中央部の吐出口８と、前記吐出口８を囲むようにして吐出口９とからなる形状としている。
【００１６】
上記の構成における動作について説明する。動作の説明に於いても形状の説明と同様、参考例１と共通の内容についてはここでは省略し、特徴ある動作についてのみ記載する。すなわち、気流の吐出を吐出口８と吐出口９とに切り替えて、供給対象者が変化のある気流の受け取り方が出来るようになり、長時間の供給にも耐えうるものになるのである。また、吐出を切り替えるだけでなく、夫々流速を違えたりするなどして、変化を持たすことも可能となる。
【００１７】
（実施例１）
本発明の第１の実施例を図３に基づいて説明する。基本的な形状は、参考例２に記載のものと概ね同様であるので、ここでは、共通の部分は図と図番を共用して、特徴ある形状について以下に述べる。図３において、略円錐状の吐出口６の円錐頂点付近にあたるホース４からの加工気流吐出部形状を、実施例２と同じく中央部の吐出口８ａと、前記吐出口８ａを囲むようにして吐出口９ａとからなる形状とし、加工気流供給装置（図示せず）においては複数種の気流、例えば清浄空気と酸素富化空気、を生成することが可能な構成としている。
【００１８】
上記の構成における動作について説明する。動作の説明に於いても形状の説明と同様、参考例１と共通の内容についてはここでは省略し、特徴ある動作についてのみ記載する。すなわち、違った種類の気流が吐出口８ａと吐出口９ａから吐出されることになるので、両方同時に供給されることや、交互や、別々の供給などが可能となり、使用方法が様々に展開されることとなる。
【００１９】
（参考例３）
本発明の第３の参考例を図４に基づいて説明する。図において、略円錐状の吐出口１０と加工気流供給装置（図示せず）からのホース４との間に、拡大空間１１を設けた構成としている。
【００２０】
上記の構成における動作について説明する。加工気流発生装置（図示せず）からの加工気流がホース４の内部を伝わって吐出口１０に至るまでには、流露の複雑さから来る圧力変動などの様々な影響を受けており、加工気流が吐出口１０からの吐出時に供給者に対して前記影響を及ぼそうとした時、拡大空間１１に入ることにより、安定化されソフトな状態で吐出されることとなる。また、騒音などがある場合は消音機の効果を持つことにもなり、音が静かでソフトな当りの気流を供給することが可能となるのである。
【００２１】
（実施例２）
次に、本発明の第２の実施例を図５に基づいて説明する。図において、吐出口１２に至るホースは、外側のホース１３と内側のホース１４とからなる二重構造としている。
【００２２】
上記の構成における動作について説明する。吐出口１２では参考例２および実施例１で述べた様に複数種の気流が吐出することで様々な効果が得られるのであるが、加工気流供給装置から吐出口に至るまでの経路が上記の構成により単純化され、見かけ上は外側ホース１３一本になり、一種類の気流が流れているのと変わらなくなり、取り扱いが格段に向上するのである。
【００２３】
（実施例３）
また、本発明の第３の実施例を図６に基づいて説明する。本実施例の構成は、実施例２とほぼ同様であるので同じ構成のものは図番を共用して特徴のある構成についてのみ説明する。すなわち図において、外側のホース１５は屈曲、伸縮自在の蛇腹ホースとし、内側のホース１６は滑らかな表面をした構成としている。
【００２４】
上記の構成における動作について説明する。動作に関しても実施例２と同様であるので、ここでは、特徴のある動作についてのみ記載する。すなわち、吐出口１２を移動しようとしたとき、ホース１４は蛇腹状であることから動かし易く、また、内側ホース１６が滑らかな形状をしていることから吐出口の移動に際して、内部ホース１６が動いても外側ホース１５は柔軟な対応を自動的に行うこととなり、吐出口の移動が容易になり、取り扱いが格段に良いものとなる。尚、本実施例では、内部ホース１６を滑らか形状に限定しているが、外側ホース１５と同様の蛇腹形状にしても同様な効果が得られるのは当然であり、要は外側ホース１５の柔軟性が大きく寄与しているのである。
【００２５】
（実施例４）
次に本発明の第４の実施例を図７に基づいて説明する。吐出口１７はその下部に屈曲自在の支持棒１８を有し、前記支持棒１８は、吐出口１７の重量に比べて充分に重たい支持台１９へと繋がった構成としている。
【００２６】
上記の構成における動作について説明する。加工気流の供給を受ける対象者が顔を動かそうとした時など、吐出口をその方向へと移動させることとなるが、このとき、上下の移動に対しては屈曲自在の支持棒１８が柔軟に対応し、全体を前後左右に動かす時には、重量のある支持台１９が転倒を防止したりするので、吐出口の移動に際しては加工気流の供給を受ける側への吐出口の位置修正に関する負担は大きく軽減されるものとなる。
【００２７】
（実施例５）
次に、本発明の第５の実施例を図８に基づいて説明する。図に於いて加工気流供給装置２０の内部には、空気清浄様のフィルタ２１と脱臭用のフィルタ２２を設けており、外部空気２３は上記供給装置２０内に入って各フィルタ２１，２２を通過した後、切り替え弁２３により、そのまま吐出口２４へと至る経路と、別の加工装置（例えば酸素濃度を高くする酸素富化膜など）２５を通過する経路とに分離される。その一つの経路の通路上に臭いの発生源を入れておく臭い箱２６を、臭い源の交換が可能な状態で設けた構成としている。吐出口２４は支持棒２７と支持台２８とに支えられ、吐出口２９からと、吐出口３０から気流が吐出する構成となっている。３１は外気であり、３２はフィルタ通過気流であり、３３は排気である。
【００２８】
上記の構成による動作について説明する。外気はフィルタ２１，２２により細塵や臭いを取り去られ清浄な空気となって流れる。その後、切り替え弁２３により、経路を分けられ、そのまま吐出口２４の吐出口３０から清浄気流として吐出されて供給の対象者へと流れ、また、切り替え弁２３により、別の加工装置２５へと流れて、例えば高濃度酸素気流となって吐出口２９経由で供給対象者へと流れ、また、その途中にある臭い箱２６の臭い源により芳香を得て同じく吐出口２９に至って対象者へと流れたりする。この時、臭い箱２６の中身である臭い源は、中身の交換が可能となっているので、加工気流の供給対象者がその好みに応じて様々な臭い源を採用することが可能である。これにより、供給の対象者は自分の好みに応じた臭いで加工気流の供給を受けるので心地よい状態で操作することが出来るのである。
【００２９】
【発明の効果】
上記実施例から明らかなように、本発明によれば、加工気流を無駄なく供給対象者へと供給することが可能となると共に、中央部の吐出口から主となる加工気流を供給しつつ、別の種類の気流をその周辺の吐出口から供給することにより、複数種の加工気流による効果を教授できる加工気流供給装置とすることが出来る。
【図面の簡単な説明】
【図１】本発明の参考例１に記載の加工気流供給装置の吐出口斜視図
【図２】本発明の参考例２に記載の加工気流供給装置の吐出口斜視図
【図３】本発明の実施例１に記載の加工気流供給装置の吐出口斜視図
【図４】本発明の参考例３に記載の加工気流供給装置の吐出口断面図
【図５】本発明の実施例２に記載のホース断面図
【図６】本発明の実施例３に記載のホース断面図
【図７】本発明の実施例４に記載の吐出口と、支持棒、支持台の概観図
【図８】本発明の実施例５に記載の加工気流供給装置の構成図
【図９】従来の酸素発生装置の断面図
【符号の説明】
４　ホース
６　略円錐状吐出口
７　円形状底面